(57)【要約】【課題】押ボタンの押込み操作に起因した止め板の破損を防止するとともに、双方の押ボタンを同時に押込み操作ができないようにして接点開閉の誤動作を防止するようにした押ボタンスイッチを提供する。【解決手段】押ボタン２Ａ，２Ｂの裏面には、第１突起２０Ａ，２０Ｂと、第２突起２１Ａ，２１Ｂを設け、押ボタン２Ａ，２Ｂの背後側には、止め板１２，１３が設けられる。止め板１２，１３は、第１貫通孔３２Ａ，３２Ｂと、第２貫通孔３３Ｂ，３３Ａを有し、ケーシング底面１０ａに支持されている。止め板１２，１３は長手方向に移動自在であり、第１止め板１２は矢印Ｎ１方向に付勢され、第２止め板１３は矢印Ｎ２方向に付勢されている。第１突起２０Ａ，２０Ｂは阻止面２６ａ，２６ｂを有し、第２突起２１Ａ，２１Ｂは止め板を移動させる傾斜面２７ａ，２７ｂを有する。【選択図】  図６
2005267913.tif 000002
【特許請求の範囲】
【請求項１】
ケーシングに第１及び第２押ボタンの２つの押ボタンが組み込まれ、各押ボタンは、押圧操作を行う操作片と、接点の開閉操作を行う操作軸とを備えており、第１及び第２押ボタンのいずれか一方の押ボタンの押込み操作によって、他方の押ボタンを押込み操作ができないようにロック状態とする押ボタンスイッチにおいて、
前記第１及び第２押ボタンの操作片裏面にそれぞれ並設された第１突起および第２突起であって、第２押ボタンにおける第１突起および第２突起の配設位置が、第１押ボタンの操作片をその中心軸回りに１８０度回転した状態における第１突起および第２突起の配設位置となっている、そのような第１突起および第２突起と、
前記第１及び第２押ボタンの操作片の背後側に配置され、第１押ボタンと第２押ボタンとに亘って延在する第１止め板であって、前記第１押ボタンの第１突起に関連する第１貫通孔と、前記第２押ボタンの第２突起に関連する第２貫通孔とを有し、前記ケーシング底面に支持されるとともに、押ボタンの押込み方向と直交方向に移動自在な第１止め板と、
前記第１及び第２押ボタンの操作片の背後側に配置され、第１押ボタンと第２押ボタンとに亘って延在する第２止め板であって、前記第１押ボタンの第２突起に関連する第２貫通孔と、前記第２押ボタンの第１突起に関連する第１貫通孔とを有し、前記ケーシング底面に支持されるとともに、押ボタンの押込み方向と直交方向に移動自在な第２止め板と、
前記第１止め板を前記直交方向に沿って第２押ボタン側から第１押ボタン側に向けて付勢する第１付勢手段と、
前記第２止め板を前記直交方向に沿って第１押ボタン側から第２押ボタン側に向けて付勢する第２付勢手段と、
を備えるとともに、
前記第１突起は止め板表面に当接して第１貫通孔の挿入を阻止する阻止面を有し、第２突起は止め板の第２貫通孔周縁部に当接して止め板を移動させる傾斜面を有し、
第１押ボタンが押し込まれると、第１押ボタンに備えられる第２突起の傾斜面が第２止め板の第２貫通孔周縁部に当接して、第２付勢手段の付勢力に抗して、第２押ボタンに備えられる第１突起の阻止面が第２止め板表面に当接して当該第１突起の第１貫通孔への挿入を阻止する位置に、第２止め板を移動させ、第２押ボタンの押し込みを阻止状態とし、
第２押ボタンが押し込まれると、第２押ボタンに備えられる第２突起の傾斜面が第１止め板の第２貫通孔周縁部に当接して、第１付勢手段の付勢力に抗して、第２押ボタンに備えられる第１突起の阻止面が第１止め板表面に当接して当該第１突起の第１貫通孔への挿入を阻止する位置に、第１止め板を移動させ、第１押ボタンの押し込みを阻止状態とすることを特徴とする押ボタンスイッチ。
【請求項２】
前記第１突起の先端には、押ボタンの非押し込み時に、前記第１貫通孔に嵌まり込み、第１突起の第１貫通孔への挿入を案内する案内部が形成されている、請求項１記載の押ボタンスイッチ。
【請求項３】
前記第１押ボタンの第１突起の阻止面は、前記第１付勢手段の付勢方向に向けて傾斜面とされるとともに、当該阻止面が当接する第１止め板表面領域は、当該阻止面の傾斜に対応した傾斜面となっており、
前記第２押ボタンの第１突起の阻止面は、前記第２付勢手段の付勢方向に向けて傾斜面とされるとともに、当該阻止面が当接する第２止め板表面領域は、当該阻止面の傾斜に対応した傾斜面となっている、請求項１又は２記載の押ボタンスイッチ。
【請求項４】
前記第２突起の傾斜面は、第１傾斜面と、第１傾斜面よりも傾斜角度が大きい第２傾斜面とが、先端から基端側に向けてこの順序で形成されている、請求項１乃至３のいずれかに記載の押ボタンスイッチ。
【発明の詳細な説明】
【技術分野】
【０００１】
本発明は、押ボタンスイッチに関し、もっと詳しくは、一対の押ボタンを備え、一方の押ボタンの押込み操作によって、他方の押ボタンを押込み操作ができないようにロック状態とする押ボタンスイッチに関する。
【背景技術】
【０００２】
この種の押ボタンスイッチの従来技術としては、特許第２６６８６０１号公報に開示されているシーソー形の止め板を用いた押ボタンスイッチが知られている。
【０００３】
このシーソー形の止め板を用いた押ボタンスイッチの原理を具体的に説明すると、図１７（１）に示すように、一対の押ボタン１００Ａ，１００Ｂの間にシーソー形止め板１０１が配設されており、例えば、押ボタン１００Ｂを押込み操作すると、図１７（２）に示すように、止め板１０１が軸回りに矢印方向に回動し、押ボタン１００Ａが押込み操作できないようにロックされる。逆に押ボタン１００Ａを押込み操作すると、止め板１０１が軸回りに矢印方向とは逆方向に回動し、押ボタン１００Ｂが押込み操作できないようにロックされる。このようにして、シーソー形止め板を用いた押ボタンスイッチは、一方の押ボタンの押込み操作によって、シーソー形止め板を回動させ、これにより他方の押ボタンを押込み操作ができないようにロック状態とするように構成されている。
【０００４】
【特許文献１】特許第２６６８６０１号公報
【発明の開示】
【発明が解決しようとする課題】
【０００５】
しかしながら、上記特許文献１に記載の押ボタンスイッチでは、以下の課題がある。
（１）シーソー形の止め板では、止め板が上がっている方の下側には本体との当り面が無いため押ボタンから受ける押込み力が止め板の支点にかかり、これに起因して止め板が破損するおそれがある。
【０００６】
（２）また、シーソー形の止め板では、押ボタンと止め板との間にボタンフルストロークの約半分のクリアランスが必要であり、図１７（３）に示すように、誤って２つの押ボタンを同時に押したときにボタンを半分押せてしまう。その場合すぐに切れるＮＣ接点ではロックが効く前に接点が動作してしまうことになる。
【０００７】
本発明は、上記の実情を鑑みて考え出されたものであり、その目的は、押ボタンの押込み操作に起因した止め板の破損を防止するとともに、押ボタンと止め板とのクリアランスを可及的に小さくして、双方の押ボタンを同時に押込み操作ができないようにして接点開閉の誤動作を防止するようにした押ボタンスイッチを提供することである。
【課題を解決するための手段】
【０００８】
上記目的を達成するために、本発明のうち請求項１記載の発明は、ケーシングに第１及び第２押ボタンの２つの押ボタンが組み込まれ、各押ボタンは、押圧操作を行う操作片と、接点の開閉操作を行う操作軸とを備えており、第１及び第２押ボタンのいずれか一方の押ボタンの押込み操作によって、他方の押ボタンを押込み操作ができないようにロック状態とする押ボタンスイッチにおいて、前記第１及び第２押ボタンの操作片裏面にそれぞれ並設された第１突起および第２突起であって、第２押ボタンにおける第１突起および第２突起の配設位置が、第１押ボタンの操作片をその中心軸回りに１８０度回転した状態における第１突起および第２突起の配設位置となっている、そのような第１突起および第２突起と、前記第１及び第２押ボタンの操作片の背後側に配置され、第１押ボタンと第２押ボタンとに亘って延在する第１止め板であって、前記第１押ボタンの第１突起に関連する第１貫通孔と、前記第２押ボタンの第２突起に関連する第２貫通孔とを有し、前記ケーシング底面に支持されるとともに、押ボタンの押込み方向と直交方向に移動自在な第１止め板と、  前記第１及び第２押ボタンの操作片の背後側に配置され、第１押ボタンと第２押ボタンとに亘って延在する第２止め板であって、前記第１押ボタンの第２突起に関連する第２貫通孔と、前記第２押ボタンの第１突起に関連する第１貫通孔とを有し、前記ケーシング底面に支持されるとともに、押ボタンの押込み方向と直交方向に移動自在な第２止め板と、前記第１止め板を前記直交方向に沿って第２押ボタン側から第１押ボタン側に向けて付勢する第１付勢手段と、前記第２止め板を前記直交方向に沿って第１押ボタン側から第２押ボタン側に向けて付勢する第２付勢手段と、を備えるとともに、前記第１突起は止め板表面に当接して第１貫通孔の挿入を阻止する阻止面を有し、第２突起は止め板の第２貫通孔周縁部に当接して止め板を移動させる傾斜面を有し、第１押ボタンが押し込まれると、第１押ボタンに備えられる第２突起の傾斜面が第２止め板の第２貫通孔周縁部に当接して、第２付勢手段の付勢力に抗して、第２押ボタンに備えられる第１突起の阻止面が第２止め板表面に当接して当該第１突起の第１貫通孔への挿入を阻止する位置に、第２止め板を移動させ、第２押ボタンの押し込みを阻止状態とし、第２押ボタンが押し込まれると、第２押ボタンに備えられる第２突起の傾斜面が第１止め板の第２貫通孔周縁部に当接して、第１付勢手段の付勢力に抗して、第２押ボタンに備えられる第１突起の阻止面が第１止め板表面に当接して当該第１突起の第１貫通孔への挿入を阻止する位置に、第１止め板を移動させ、第１押ボタンの押し込みを阻止状態とすることを特徴とする。
【０００９】
上記の如く、第１止め板および第２止め板がいずれもケーシング底面に支持されることにより、押ボタンの押込み操作に起因した止め板の破損を防止することができる。また、押ボタンと止め板とのクリアランスを可及的に小さくなるため、双方の押ボタンを同時に押込み操作ができず、その結果、接点開閉の誤動作を防止することができる。
【００１０】
また、請求項２記載の発明は、請求項１記載の押ボタンスイッチであって、第１突起の先端には、押ボタンの非押し込み時に、前記第１貫通孔に嵌まり込み、第１突起の第１貫通孔への挿入を案内する案内部が形成されていることを特徴とする。
【００１１】
上記構成により、押ボタンの押し込み操作を円滑に行うことができる。
【００１２】
また、請求項３記載の発明は、請求項１又は２記載の押ボタンスイッチであって、前記第１押ボタンの第１突起の阻止面は、前記第１付勢手段の付勢方向に向けて傾斜面とされるとともに、当該阻止面が当接する第１止め板表面領域は、当該阻止面の傾斜に対応した傾斜面となっており、前記第２押ボタンの第１突起の阻止面は、前記第２付勢手段の付勢方向に向けて傾斜面とされるとともに、当該阻止面が当接する第２止め板表面領域は、当該阻止面の傾斜に対応した傾斜面となっていることを特徴とする。
【００１３】
上記構成により、第１押ボタン及び第２押ボタンを円滑にロックすることができるとともに、ロック状態を完全なものとすることができる。
【００１４】
また、請求項４記載の発明は、請求項１乃至３のいずれかに記載の押ボタンスイッチであって、第２突起の傾斜面は、第１傾斜面と、第１傾斜面よりも傾斜角度が大きい第２傾斜面とが、先端から基端側に向けてこの順序で形成されていることを特徴とする。
【００１５】
上記構成により、押ボタンの押し込み操作の初期の段階では止め板の移動距離を大きくさせ、その後の段階では押ボタンの押し込み力を減少させることが可能となり、円滑な押し込み操作を達成することができる。
【発明の効果】
【００１６】
本発明によれば、押ボタンの押込み操作に起因した止め板の破損を防止するとともに、押ボタンと止め板とのクリアランスを可及的に小さくして、双方の押ボタンを同時に押込み操作ができないようにして接点開閉の誤動作を防止することができる。
【発明を実施するための最良の形態】
【００１７】
以下、本発明に係る押ボタンスイッチを実施の形態に基づいて詳述する。なお、本発明は、以下の実施の形態に限定されるものではない。
【００１８】
（実施の形態１）
図１は実施の形態１に係る押ボタンスイッチの全体構成を示す断面図である。押ボタンスイッチ１は、第１押ボタン２Ａ及び第２押ボタン２Ｂの２つの押ボタンを備えた操作部３と、ＮＣ接点４、リード板５及び電極端子６等を備えた接点部７と、操作部３と接点部７とを連結する連結部８とから構成されている。これらのＮＣ接点４、リード板５及び電極端子６は、第１押ボタン２Ａに関連するものであり、第２押ボタン２Ｂに関連するＮＣ接点、リード板、及び電極端子は、図示しないが図１の手前側に配設されている。なお、押ボタンスイッチの構成部品は、ばね・接点・端子等を除いて基本的には合成樹脂製である。
【００１９】
図２は押ボタンスイッチの操作部の構成を示す断面図であり、図３は操作部の正面図であり、図４は操作部の内部正面図であり、図５は図３の矢視Ａ−Ａ断面図であり、図６は操作部の分解斜視図であり、図７は押ボタンの操作片を背後側から見た斜視図であり、図８は図３の矢視Ｂ−Ｂ断面図であり、図９は図３の矢視Ｃ−Ｃ断面図である。なお、図４は操作部のボタンとレンズを省略して描いており、また、図８（１）は押ボタン２Ａ，２Ｂのいずれもが押し込まれていない状態における断面図であり、図８（２）は押ボタン２Ａが押し込まれている状態における断面図である。また、図９（１）〜（６）は押ボタン２Ａが押し込まれていない状態から押し込み完了状態までの各段階における断面図である。操作部３のケーシング１０の前面側には、押ボタン２Ａ，２Ｂ、及びレンズ１１が組み込まれており、押ボタン２Ａ，２Ｂ及びレンズ１１の背後側には、長手状の第１止め板１２及び第２止め板１３（図４、図６参照）が配設されている。レンズ１１は第１押ボタン２Ａと第２押ボタン２Ｂとの間に配置されおり、このレンズ１１の背後側（図２の右方側）には例えばＬＥＤ等の発光体１４（図１参照）が配置されており、発光体１４からの光はレンズ１１を介して表面側に導かれるようになっている。なお、発光体１４を使用しない場合はレンズ１１は不透明なカバーを使用する。
【００２０】
第１押ボタン２Ａは、図６に示すように、平板状の操作片１５ａと、操作片１５ａの下側中央部から後方側（図２の右方側）に延びる操作軸１６ａとを有するとともに、操作片１５ａの裏面には形状の異なる第１突起２０Ａおよび第２突起２１Ａが左右方向に並設されている。操作軸１６ａはケーシング底面１０ａに形成されている軸孔１０ｂを摺動自在に挿入され、その先端部で接点の開閉操作を行うようになっている。また、操作片１５ａとケーシング底面１０ａとの間には、第１押ボタン２Ａの復帰用コイルばね２２ａが介在されている。
【００２１】
第２押ボタン２Ｂも第１押ボタン２Ａと同様に、図６に示すように、平板状の操作片１５ｂと、操作片１５ｂの上側中央部から後方側（図２の右方側）に延びる操作軸１６ｂとを有するとともに、操作片１５ｂとケーシング底面１０ａとの間に第２押ボタン２Ｂの復帰用コイルばね２２ｂが介在され、さらに、操作片１５ｂの裏面には第１突起２０Ｂおよび第２突起２１Ｂが左右方向に並設されている。但し、第１突起および第２突起の配置は、第１押ボタン２Ａと第２押ボタン２Ｂとでは逆となっている。即ち、第１押ボタン２Ａと第２押ボタン２Ｂとの配置状態は、一方の押ボタンが他方の押ボタンをその中心軸まわりに１８０度回転した配置状態でケーシング内に組み込まれており、そのため、第１押ボタン２Ａを正面側から見た場合には左側に第１突起２０Ａが形成され右側に第２突起２１Ａが形成され、一方、第２押ボタン２Ｂを正面側から見た場合には左側に第２突起２１Ｂが形成され右側に第１突起２０Ｂが形成され、第１押ボタン２Ａの第１突起２０Ａと第２押ボタン２Ｂの第２突起２１Ｂとが対向配置され、第１押ボタン２Ａの第２突起２１Ａと第２押ボタン２Ｂの第１突起２０Ｂとが対向配置された状態となっている。
【００２２】
第１突起２０Ａ，２０Ｂは、図８及び図９に示すように、先端に案内部２３ａ，２３ｂを備えた段差状に形成されている。そして、第１突起２０Ａ，２０Ｂの段差面は、止め板１２，１３の表面に当接して第１貫通孔３２Ａ，３２Ｂの挿入を阻止する阻止面２６ａ，２６ｂを構成する。この阻止面２６ａ，２６ｂは、図８、図９に明らかに示すように、傾斜面とされている。
【００２３】
一方、第２突起２１Ａ，２１Ｂには、図８及び図９に示すように、第２貫通孔３３Ａ，３３Ｂの縁部に当接して止め板を移動させるカム面として機能する傾斜面２７ａ，２７ｂを有している。傾斜面２７ａは第２突起２１Ａの上側端面に形成され、先端部から基端部に向けて傾斜角度が異なる第１傾斜面２８ａと第２傾斜面２９ａとを備える。一方、傾斜面２７ｂは第２突起２１Ｂの下側端面に形成され、先端部から基端部に向けて傾斜角度が異なる第１傾斜面２８ｂと第２傾斜面２９ｂとを備える。第１傾斜面２８ａ，２８ｂは例えば３５度程度の傾斜角度とされ、第２傾斜面２９ａ，２９ｂは第１傾斜面２８ａ，２８ｂよりも大きい傾斜角度とされている。このように、２つの傾斜角度の異なる傾斜面を設けることにより、後述する押ボタンの押し込み操作の初期の段階では止め板の移動距離を大きく作用させ、その後の段階では押ボタンの押し込み力を減少させることが可能となり、円滑な押し込み操作を達成することができる。
【００２４】
第１止め板１２及び第２止め板１３は、相互に平行に配置されており、ケーシングの底面１０ａに支持されるとともに、押ボタンの押込み方向に略垂直な面内で且つ第１押ボタンの第１突起２０Ａと第２押ボタンの第２突起２１Ｂとを結ぶ一直線方向に沿って移動自在とされている。第１止め板１２はコイルばね３０によって矢印方向Ｎ１に付勢されており、第２止め板１３はコイルばね３１によって矢印方向Ｎ２に付勢されている。この第１止め板１２の上端部側には第１突起２０Ａに関連した第１貫通孔３２Ａが形成されており、第１止め板１２の下端部側には第２突起２１Ｂに関連した第２貫通孔３３Ｂが形成されている。一方、第２止め板１３の上端部側には第１押ボタン２Ａの第２突起２１Ａに関連した第２貫通孔３３Ａが形成されており、第２止め板１３の下端部側には第２押ボタン２Ｂの第１突起２０Ｂに関連した第１貫通孔３２Ｂが形成されている。
【００２５】
第１突起２０Ａ，２０Ｂの案内部２３ａ，２３ｂは、非押し込み時に、第１貫通孔３２Ａ，３２Ｂ内に嵌まり込んでおり、押ボタンが押圧されると、第１突起２０Ａ，２０Ｂを第１貫通孔３２Ａ，３２Ｂ内に案内する働きをなす。これにより、押ボタンの押し込み操作を円滑に行うことができる。
なお、第１突起２０Ａの阻止面２６ａが当接する第１止め板１２表面領域３５（図８参照）は、当該阻止面２６ａの傾斜に対応した傾斜面となっており、第１突起２０Ｂの阻止面２６ｂが当接する第２止め板１３表面領域３６（図９参照）は、当該阻止面２６ｂの傾斜に対応した傾斜面となっている。このような構成により、押ボタンの押し込み操作を完全にロックすることができる。
【００２６】
（押ボタンスイッチの動作）
次いで、上記構成の押ボタンスイッチの動作について説明する。
（１）押ボタン２Ａのみを押し込んだ場合
押ボタン２Ａ，２Ｂのいずれもが押し込まれていない状態では、図８（１）及び図９（１）に示すように、押ボタン２Ａ，２Ｂの各第１突起２０Ａ，２０Ｂが第１及び第２止め板の各第１貫通孔３２Ａ，３２Ｂにそれぞれ挿入可能な状態となっている。このような状態で、第１押ボタン２Ａが押し込まれると、第１突起２０Ａは第１貫通孔３２Ａに挿入されていく。このとき、第１押ボタン２Ａの第２突起２１Ａにおいては、その第１傾斜面２８ａが第２止め板１３の第２貫通孔３３Ａ周縁部に当接し、第２止め板１３をばね３１のばね力に抗して、上方に移動させる（図９（２）〜（４）参照）。
【００２７】
次いで、第２傾斜面２９ａが第２止め板の第２貫通孔３３Ａ周縁部に当接し、第２止め板１３をばね３１のばね力に抗して、上方に移動させる。そして、第２傾斜面２９ａの後端近傍が第２貫通孔３３Ａ周縁部に当接する位置まで達すると（図９（５）参照）、第２押ボタンの第１突起２０Ｂの阻止面２６ｂが第２止め板１３の第１貫通孔３２ｂから外れ、第２止め板１３の表面領域３６に接触する状態となる（図９（６）参照）。即ち、第１突起２０Ｂの第１貫通孔３２Ｂへの挿入を阻止する位置に第２止め板１３が移動させられたことになる。これにより、第２押ボタン２Ｂの押し込みがロック状態とされる。なお、このとき、第２止め板１３の裏面がケーシング底面１０ａに接しているため、第２押ボタン２Ｂの押し込み力はケーシング底面１０ａで受けることになり、従来例のように止め板が破損することを防止することができる。
【００２８】
（２）押ボタン２Ｂのみを押し込んだ場合
押ボタン２Ａ，２Ｂのいずれもが押し込まれていない状態で、第２押ボタン２Ｂのみを押し込んだ場合には、第１突起２０Ｂは第１貫通孔３２Ｂに挿入されていく。このとき、第２押ボタンの第２突起２１Ｂにおいては、その第１傾斜面２８ｂが第１止め板１２の第２貫通孔３３Ｂ周縁部に当接し、第１止め板１２をばね３０のばね力に抗して、下方に移動させる。
【００２９】
次いで、第２傾斜面２９ｂが第１止め板１２の第２貫通孔３３Ｂ周縁部に当接し、第１止め板１２をばね３０のばね力に抗して、下方に移動させる。そして、第２傾斜面２９ｂの後端近傍が第２貫通孔３３Ｂ周縁部に当接する位置まで達すると、第１押ボタンの第１突起２０Ａの阻止面２６ａが第１止め板１２の第１貫通孔３２Ａから外れ、第１止め板１２の表面領域３５に接触する状態となる。即ち、第１突起２０Ａの第１貫通孔３２Ａへの挿入を阻止する位置に第１止め板１２が移動させられたことになる。これにより、第１押ボタンの押し込みがロック状態とされる。なお、このとき、第１止め板１２の裏面がケーシング底面１０ａに接しているため、第１押ボタンの押し込み力はケーシング底面１０ａで受けることになり、従来例のように止め板が破損することを防止することができる。
【００３０】
（３）押ボタン２Ａ，２Ｂの双方を同時に押し込んだ場合
押ボタン２Ａ，２Ｂの双方が同時に押し込まれると、押ボタン２Ａの押し込みにより、即座に図１１（１）から図１１（２）の状態となり、第１突起２０Ｂの阻止面２６ｂが第２止め板１３に当接する。一方、押ボタン２Ｂの押し込みにより、即座に図１０（１）から図１０（２）の状態となり、第１突起２０Ａの阻止面２６ａが第１止め板１２に当接する。こうして、押ボタンの僅かなストロークで双方の押ボタン２Ａ，２Ｂが止め板１２，１３に当たるため、双方ともに押し込むことができない。従って、従来例のように押ボタンの約半分のストロークだけ押し込み可能によりＮＣ接点が開いてしまうという誤動作を防止することができる。
【００３１】
（実施の形態２）
図１２は実施の形態２に係る押ボタンスイッチの操作部の内部正面図であり、図１３は１２の矢視Ｄ−Ｄ断面図であり、図１４は押ボタンロック時の操作部の内部正面図であり、図１５は押ボタンロック解除時の操作部の内部正面図である。なお、図１３（１）は押ボタンが押し込み操作されない無操作時の断面図であり、図１３（２）は押ボタンがロックされたロック時の断面図であり、図１３（３）は押ボタンのロックが解除されたロック解除時の断面図である。この実施の形態２に係る押ボタンスイッチは、自己保持型のスイッチであり、一方の押ボタンが押し込まれるとその状態を保持し、押し込み保持状態を解除するためには、他方の押ボタンを押し込む必要がある。この自己保持型のスイッチは、例えば運転の開始用と運転停止用の２つの押ボタンを備えた押ボタンスイッチ等に用いられる。
【００３２】
本実施の形態２は、実施の形態１に類似し、対応する部分には同一の参照符号を付して詳細な説明は省略する。本実施の形態２では、実施の形態１に用いられた２つの止め板１２，１３に代えて、１つの止め板４０が用いられている。この止め板４０の第１貫通孔３２Ａの下側内面には、図１３に示すように、段差面４１が形成されており、この段差面４１はロック時に第１突起２０Ａの係止面４２に係止されるようになっている。
【００３３】
次いで、実施の形態２に係る押ボタンスイッチの動作について説明する。先ず、押ボタン２Ａの無操作時には、図１３（１）に示すように、第１突起２０Ａの案内部２３ａが第１貫通孔３２Ａに嵌まり込んだ状態となっている。このような状態で、押ボタン２Ａが押し込まれ、第１突起２０Ａの案内部２３ａが第１貫通孔３２Ａの下縁面４３を越えると、図１３（２）に示すように、止め板４０がばね３０のばね力によって上方に移動し、段差面４１が第１突起２０Ａの係止面４２に係止される。これにより、押ボタン２Ａはロックされる。
【００３４】
押ボタン２Ａのロック解除時には、押ボタン２Ｂを押し込むと、図１３（３）に示すように、第２突起２１Ｂの傾斜面２７ｂが第２貫通孔３３Ｂの下縁部に当接し、第２突起２１Ｂの傾斜面２７ｂによって止め板４０がばね３０のばね力に抗して下方に移動する。これにより、押ボタン２Ａのロックが解除され、押ボタン２Ａは復帰用ばね２２ａによって元の状態に復帰する。
【００３５】
このようにして、本実施の形態２では、止め板１１，１２に代えて、止め板４０を用いることにより、自己保持型の押ボタンスイッチを容易に実現することができる。
【００３６】
（実施の形態３）
図１６は実施の形態３に係る押ボタンスイッチの断面図である。この実施の形態３は、上記実施の形態２と同様の自己保持型押ボタンスイッチである。但し、実施の形態３では、押ボタン２Ａ，２Ｂのいずれか一方の押ボタンが自己保持されたとき、他方の押ボタンを押し込むことにより、ロックが解除するようになっていることが、実施の形態２とは異なる。図１６を参照して、本実施の形態３の押ボタンスイッチの構成を説明する。この押ボタンスイッチは、基本的には実施の形態１の押ボタンスイッチと同様に２つの止め板１２，１３が用いられる。但し、止め板１２，１３の第１貫通孔３２Ａ，３２Ｂには、実施の形態２と同様な段差面４１が形成されている。
【００３７】
次いで、上記構成の押ボタンスイッチの動作について説明する。第１押ボタン２Ａを押し込むと、図１６（１）に示すように、第１突起２０Ａが第１貫通孔３２Ａに嵌まり込み、第１押ボタン２Ａがロックされる。次いで、第２押ボタン２Ｂを押し込むと、図１６（２）に示すように、第２突起２１Ｂの傾斜面２７ｂが第２貫通孔３３Ｂの下縁部に当接して第１止め板１２を移動させ、第１押ボタン２Ａのロックを解除する。
【００３８】
そして、第１押ボタン２Ａが復帰用ばね２２ａによって元の状態に復帰すると、図１６（３）に示すように、第２突起２１Ａは、その先端部が第２貫通孔３３Ａに当接した状態となるため、止め板１３がばね３１のばね力によって下方に移動し、第１突起２０Ｂが第１貫通孔３２Ｂに嵌まり込み、第２押ボタン２Ｂがロックされる。
【００３９】
このようにして、押ボタン２Ａ，２Ｂのいずれか一方の押ボタンが自己保持されたとき、他方の押ボタンを押し込むことにより、ロックを解除することができる。
【００４０】
（その他の事項）
上記実施の形態では、第１突起の阻止面２６ａ，２６ｂは傾斜面とされ、当該阻止面２６ａ，２６ｂが当接する止め板表面領域３５，３６は当該阻止面の傾斜に対応した傾斜面とされたけれども、当該阻止面２６ａ，２６ｂを平坦面とし、かつ、これに対応して止め板の当該表面領域３５，３６を平坦面としてもよい。
【００４１】
また、上記実施の形態では、第１突起の案内部２３ａ，２３ｂを設けることにより、第１突起２０Ａ，２０Ｂの第１貫通孔３２Ａ，３２Ｂへの挿入を円滑に行うようにしたけれども、案内部２３ａ，２３ｂを設けなくても本発明の効果を十分に達成することができる。
【００４２】
さらに、上記実施の形態では、第２突起の傾斜面２７ａ，２７ｂは第１傾斜面２８ａ，２８ｂと第２傾斜面２９ａ，２９ｂとから構成されていたけれども、１つの傾斜面で構成しても、本発明の効果を十分に達成することができる。
【産業上の利用可能性】
【００４３】
本発明は、押ボタンスイッチに適用することができる。
【図面の簡単な説明】
【００４４】
【図１】本実施の形態１に係る押ボタンスイッチの全体構成を示す断面図である。
【図２】本実施の形態１に係る押ボタンスイッチの操作部の構成を示す断面図である。
【図３】本実施の形態１に係る操作部の正面図である。
【図４】本実施の形態１に係る操作部の内部正面図である。
【図５】図３の矢視Ａ−Ａ断面図である。
【図６】本実施の形態１に係る操作部の分解斜視図である。
【図７】押ボタンの操作片を背後側から見た斜視図である。
【図８】図３の矢視Ｂ−Ｂ断面図である。
【図９】図３の矢視Ｃ−Ｃ断面図である。
【図１０】押ボタン２Ａ，２Ｂの双方を同時に押し込んだ場合の図３の矢視Ｂ−Ｂ断面図である。
【図１１】押ボタン２Ａ，２Ｂの双方を同時に押し込んだ場合の図３の矢視Ｃ−Ｃ断面図である。
【図１２】本実施の形態２に係る操作部の内部正面図である。
【図１３】図１２の矢視Ｄ−Ｄ断面図である。
【図１４】本実施の形態２に係る操作部の押ボタンのロック時の内部正面図である。
【図１５】本実施の形態２に係る操作部の押ボタンのロック解除時の内部正面図である。
【図１６】本実施の形態３に係る操作部の断面図である。
【図１７】従来例の原理を説明するための図である。
【符号の説明】
【００４５】
１  ：押ボタンスイッチ              ２Ａ：第１押ボタン
２Ｂ：第２押ボタン                  １０：ケーシング
１０ａ：ケーシング底面                １２：第１止め板
１３：第２止め板                    ２０Ａ，２０Ｂ：第１突起  
２１Ａ，２１Ｂ：第２突起            ２３ａ，２３ｂ：案内部
２６ａ，２６ｂ：阻止面              ２７ａ，２７ｂ：傾斜面
２８ａ，２８ｂ：第１傾斜面          ２９ａ，２９ｂ：第２傾斜面
３０，３１：ばね                    ３２Ａ，３２Ｂ：第１貫通孔
３３Ａ，３３Ｂ：第２貫通孔  
３５，３６：阻止面に当接する止め板の表面領域
【図１】
2005267913.tif 000003
【図２】
2005267913.tif 000004
【図３】
2005267913.tif 000005
【図４】
2005267913.tif 000006
【図５】
2005267913.tif 000007
【図６】
2005267913.tif 000008
【図７】
2005267913.tif 000009
【図８】
2005267913.tif 000010
【図９】
2005267913.tif 000011
【図１０】
2005267913.tif 000012
【図１１】
2005267913.tif 000013
【図１２】
2005267913.tif 000014
【図１３】
2005267913.tif 000015
【図１４】
2005267913.tif 000016
【図１５】
2005267913.tif 000017
【図１６】
2005267913.tif 000018
【図１７】
2005267913.tif 000019